(57)【特許請求の範囲】
【請求項１】
下記式（１）で表わされる不斉有機分子触媒であって、
下記式（２）で表わされる１，２−ジヒドロピリジン誘導体を共役ジエンとし、下記式（３）で表わされるアクロレイン誘導体をジエノフィルとする不斉Ｄｉｅｌｓ−Ａｌｄｅｒ反応に用いられる、不斉有機分子触媒。
【化１】
0005622019.tif 000012
（式（１）中、Ｒ１はベンジル基又は炭素数１〜５の分岐アルキル基であり、Ｒ２、Ｒ３は互いに同じ置換基であって、該置換基が、メチル基で置換されたフェニル基、エチル基で置換されたフェニル基、フッ素で置換されたフェニル基、塩素で置換されたフェニル基又は無置換のフェニル基であり、Ｒ４は水素原子であり、Ｒ５は炭素数５以下のアルキル基又は水素原子であり、Ｘは式（１）中のアミノアルコール誘導体骨格と塩を形成する脂肪族モノカルボン酸のハロゲン置換体を表わす。）
【化２】
0005622019.tif 000013
（式（２）及び式（３）において、Ｒ６〜Ｒ１０、Ｒ１２〜Ｒ１４は水素原子又は一価の置換基を表わし、前記一価の置換基は、直鎖又は分岐のアルキル基、アリール基、ハロゲン原子、ヒドロキシル基、カルボキシル基、アルコキシカルボニル基、アシル基、アシロキシ基、アルコキシ基、又はアリールオキシ基であり、Ｒ１１はアルキル基又はアリール基を表わす。）
【請求項２】
請求項１に記載の不斉有機分子触媒を用いて前記不斉Ｄｉｅｌｓ−Ａｌｄｅｒ反応を行うことを特徴とする、光学活性化合物の製造方法。
【発明の詳細な説明】
【技術分野】
【０００１】
本発明は、新規アミノアルコール誘導体塩、アミノアルコール誘導体塩構造を有する不斉有機分子触媒及び該不斉有機分子触媒を用いた光学活性化合物の製造方法に関する。
【背景技術】
【０００２】
医薬品などの生体関連化合物は、不斉中心を含むものが少なくなく、可能な２つの鏡像異性体がそれぞれ生体に対して異なる作用を示すことが多い。従って、一方の鏡像異性体のみを選択的に得るための不斉合成反応の開発は重要である。
【０００３】
ごく少量の触媒により、原理的には無限の光学活性化合物を供給することが可能な高度プロセスである触媒的不斉合成反応は、その省エネルギー・環境調和の観点からも現代の有機合成化学の重要な研究課題の１つである。不斉触媒としては、従来より多くの有機金属触媒が開発されているものの、高価であったり、残存する金属の除去が困難であったりする課題もあった。このため、近年、安価・安全・環境負荷が少ないなどの理由で、金属を含有しない有機分子を触媒として用いる、有機分子触媒反応の研究が盛んに行われている。
【０００４】
例えば、特許文献１及び非特許文献１には、タミフルなどの様々な生理活性化合物群の鍵合成中間体であるイソキヌクリジン誘導体を、有機分子触媒であるマクミラン触媒を使用した不斉Ｄｉｅｌｓ−Ａｌｄｅｒ反応によって合成することが開示されている。
【先行技術文献】
【特許文献】
【０００５】
【特許文献１】特開２００８−５０３３６号公報
【非特許文献】
【０００６】
【非特許文献１】Ａｎｇｅｗ．Ｃｈｅｍ．Ｉｎｔ．Ｅｄ．４６巻、５７３４〜５７３６頁、２００７年
【発明の概要】
【発明が解決しようとする課題】
【０００７】
しかしながら、特許文献１や非特許文献１で得られるイソキヌクリジン誘導体の化学収率は低く、後の工程で再結晶化することにより光学純度は向上するが、化学収率は更に低下する。また、ポリマーの生成も伴うことから、生成物の分離精製も容易ではない。そのため、高い化学収率及び高い光学収率で目的物を得ることのできる不斉有機分子触媒が求められている。
【０００８】
そこで本発明は、低コストで製造可能であり、高い化学収率及び高い光学収率で目的物を得ることのできる新規不斉有機分子触媒、及び該不斉有機分子触媒を用いた光学活性化合物の製造方法を提供することを課題とする。
【課題を解決するための手段】
【０００９】
本発明者らは鋭意検討した結果、特定の構造を有するアミノアルコール誘導体の塩が不斉有機分子触媒として有用であることを見出し、本発明を完成するに至った。
【００１２】
また、本発明の第一の態様は、下記式（１）で表わされる、不斉Ｄｉｅｌｓ−Ａｌｄｅｒ反応に用いられる、不斉有機分子触媒を提供して前記課題を解決するものである。
【００１３】
【化２】
0005622019.tif 000002
（式（１）中、Ｒ１はベンジル基又は炭素数１〜５の分岐アルキル基であり、Ｒ２、Ｒ３は互いに同じ置換基であって、該置換基が、メチル基で置換されたフェニル基、エチル基で置換されたフェニル基、フッ素で置換されたフェニル基、塩素で置換されたフェニル基又は無置換のフェニル基であり、Ｒ４は水素原子であり、Ｒ５は炭素数５以下のアルキル基又は水素原子であり、Ｘは式（１）中のアミノアルコール誘導体骨格と塩を形成する脂肪族モノカルボン酸のハロゲン置換体を表わす。）
【００１４】
本発明の第二の態様は、前記第一の態様の不斉有機分子触媒を用いて不斉Ｄｉｅｌｓ−Ａｌｄｅｒ反応を行うことを特徴とする、光学活性化合物の製造方法を提供して前記課題を解決するものである。
【００１５】
本発明において、不斉Ｄｉｅｌｓ−Ａｌｄｅｒ反応とは、製造される光学活性化合物がイソキヌクリジン誘導体であり、下記式（２）で表わされる１，２−ジヒドロピリジン誘導体を共役ジエンとし、下記式（３）で表わされるアクロレイン誘導体をジエノフィルとするものである。
【００１６】
【化３】
0005622019.tif 000003
（式（２）及び式（３）において、Ｒ６〜Ｒ１０、Ｒ１２〜Ｒ１４は水素原子又は一価の置換基を表わし、前記一価の置換基は、直鎖又は分岐のアルキル基、アリール基、ハロゲン原子、ヒドロキシル基、カルボキシル基、アルコキシカルボニル基、アシル基、アシロキシ基、アルコキシ基、又はアリールオキシ基であり、Ｒ１１はアルキル基又はアリール基を表わす。）
【発明の効果】
【００１７】
本発明の不斉有機分子触媒を用いることで、高い化学収率及び高い光学収率で目的の光学活性化合物を得ることができる。また、本発明の不斉有機分子触媒はこれまでに見出された不斉有機分子触媒と比べて比較的単純な構造を有しており、製造が容易であるため、高価な金属を使用する従来の有機金属触媒に対してのみならず、従来の不斉有機分子触媒に対しても、製造効率、コストの点で非常に有利である。
【００１８】
また、本発明の不斉有機分子触媒は、特に、不斉Ｄｉｅｌｓ−Ａｌｄｅｒ反応による光学活性イソキヌクリジン誘導体合成のための不斉有機分子触媒として好適であり、高い化学収率及び高い光学収率で選択的に目的物を得ることができる。光学活性イソキヌクリジン誘導体や、その開環生成物である光学活性多置換ピペリジン誘導体は、オセルタミビル、ビンブラスチン、レセルピン、アルカルイド類などの医薬品や生理活性物質の重要な合成中間体であることから、本発明は、ひいては低コストかつ高効率に、様々な医薬品や生理活性物質を得るために非常に有用である。
【発明を実施するための形態】
【００１９】
本発明の不斉有機分子触媒は、下記式（１）で表わされるアミノアルコール誘導体塩である。
【００２０】
【化４】
0005622019.tif 000004
【００２１】
式（１）中、Ｒ１はアルキル基又はアリール基であり、アルキル基としては、炭素数１〜１３のものが好ましく、直鎖でも分岐でもよく、また環状のものでもよい。また、アルキル基上の炭素原子が、更にアリール基などの他の置換基によって置換されていてもよい。直鎖アルキル基としては、例えば、メチル基、エチル基、プロピル基を挙げることができる。分岐アルキル基としては、例えば、イソプロピル基、ｔｅｒｔ−ブチル基、ｓｅｃ−ブチル基を挙げることができる。シクロアルキル基としては、分岐構造を有していてもよい炭素数３〜８のものが好ましく、例えば、シクロプロピル基、シクロペンチル基、シクロヘキシル基、２−メチルシクロプロピル基、アダマンチル基を挙げることができる。また、アリール基によって置換されているアルキル基としては、ベンジル基等が挙げられる。アリール基としては、フェニル基、ナフチル基、トリル基、キシリル基、エチルフェニル基等が挙げられる。アリール基上の炭素原子は更に任意の置換基を有していてもよい。式（１）において、Ｒ１としては、アルキル基、又は、置換又は無置換のフェニル基であることが好ましく、炭素数１〜７の直鎖又は分岐アルキル基、アルキル基で置換されていてもよいベンジル基、アルキル基で置換されていてもよいフェニル基であることがより好ましく、ベンジル基、炭素数１〜５の分岐アルキル基であることが更に好ましく、イソプロピル基、ｔｅｒｔ−ブチル基であることが特に好ましい。
【００２２】
式（１）中、Ｒ２及びＲ３は、それぞれ独立に水素原子又はアリール基である。アリール基としては、Ｒ１と同じものを例示できる。式（１）において、Ｒ２及びＲ３としては、Ｒ２とＲ３が互いに同じ置換基であることが好ましく、具体的な置換基としては、これらは置換又は無置換のフェニル基であることが好ましく、炭素数５以下の置換基で置換されたフェニル基又は無置換のフェニル基であることが好ましく、特にはフェニル基であることが好ましい。
【００２３】
式（１）中、Ｒ４は水素原子又は一価の置換基であり、一価の置換基としては、アルキル基、アリール基、アシル基、シリル基、スルホニル基、アルコキシカルボニル基等が挙げられ、アルキル基及びアリール基としてはＲ１と同じものを例示できる。アシル基としては、アセチル基、プロピオニル基、ブチリル基、イソブチリル基、ピバロイル基、ベンゾイル基等が挙げられる。シリル基としては、例えばトリメチルシリル基、トリエチルシリル基、トリイソプロピルシリル基、ジメチルヘキシルシリル基、ｔｅｒｔ−ブチルジメチルシリル基、メチルジイソプロピルシリル基、イソプロピルジメチルシリル基、ｔｅｒｔ−ブチルメトキシフェニルシリル基、ｔｅｒｔ−ブトキシジフェニルシリル基、トリフェニルシリル基、ｔｅｒｔ−ブチルジフェニルシリル基、ジメチルクメニルシリル基、トリベンジルシリル基が挙げられる。スルホニル基としては、メタンスルホニル基、トリフルオロメタンスルホニル基、ベンゼンスルホニル基、ｐ−トルエンスルホニル基等が挙げられる。アルコキシカルボニル基としては、メトキシカルボニル基、エトキシカルボニル基、ｔｅｒｔ−ブトキシカルボニル基等が挙げられる。式（１）において、Ｒ４としては、水素原子や、有機合成の分野で水酸基の保護基として慣用されている置換基であることが好ましく、水素原子が特に好ましい。
【００２４】
式（１）中、Ｒ５は水素原子又はアルキル基であり、アルキル基としてはＲ１と同じものを例示できる。また、式（１）において、Ｒ５としては炭素数５以下のアルキル基又は水素原子であることが好ましく、特には水素原子が好ましい。
【００２５】
式（１）中、Ｘは、アミノアルコール誘導体骨格と塩を形成する有機酸であり、有機酸としては、ピクリン酸、脂肪族及び芳香族スルホン酸、脂肪族及び芳香族カルボン酸等が挙げられる。中でも脂肪族モノカルボン酸及びそのハロゲン置換体が好ましく、具体的には、酢酸、酪酸、モノフルオロ酢酸、ジフルオロ酢酸、トリフルオロ酢酸、モノクロロ酢酸、ジクロロ酢酸、トリクロロ酢酸等が挙げられる。中でも脂肪族モノカルボン酸のハロゲン置換体が好ましく、トリフルオロ酢酸が特に好ましい。
【００２６】
以下に、式（１）で表わされる本発明のアミノアルコール誘導体塩及び不斉有機分子触媒の化合物例を示すが、本発明はこれらに限定されない。
【００２７】
【化５】
0005622019.tif 000005
【００２８】
【化６】
0005622019.tif 000006
【００２９】
式（１）で表わされるアミノアルコール誘導体塩は、公知の方法で合成することができる。例えばＲ２とＲ３がアリール基で互いに同じ置換基の場合、下記スキームのように、下記式（Ｙ）で表わされるアミノ酸エステル塩を出発物質として、これとグリニャール試薬とをエーテルなどの溶媒中で反応させた後、必要に応じて水酸基やアミノ基を公知の方法で修飾し、更にこれを有機酸と反応させることによって得ることができる。
【００３０】
【化７】
0005622019.tif 000007
【００３１】
グリニャール試薬の使用量は、原料のアミノ酸エステル塩１モルに対し通常３モル〜４モル程度であり、有機酸によって塩を形成する際の有機酸の使用量は、アミノアルコール誘導体１モルに対し通常等モル程度である。式（１）で表わされるアミノアルコール誘導体塩は、クロマトグラフィー、再結晶などにより単離、精製することができる。
【００３２】
本発明の不斉有機分子触媒が用いられる不斉合成反応としては、例えば、Ｄｉｅｌｓ−Ａｌｄｅｒ反応、アルドール反応、マイケル付加反応等が挙げられる。本発明の触媒は、中でも、光学収率の観点から、不斉Ｄｉｅｌｓ−Ａｌｄｅｒ反応における不斉有機分子触媒として有用である。
【００３３】
不斉Ｄｉｅｌｓ−Ａｌｄｅｒ反応の原料となるジエンとしては、特に限定するものではないが、本発明の不斉有機分子触媒による効果、すなわち高いエンド／エキソ選択性やエナンチオ選択性を最大限に生かすことができるため、シクロペンタジエン、シクロヘキサジエン、ジヒドロピリジンなどの環状ジエンを原料とすることが好ましい。また、ジエノフィルも特に限定するものではなく、アクロレイン、メタクロレイン、桂皮アルデヒドなど通常のＤｉｅｌｓ−Ａｌｄｅｒ反応に用いることのできるジエノフィルを用いることができる。
【００３４】
不斉Ｄｉｅｌｓ−Ａｌｄｅｒ反応における本発明の不斉有機分子触媒の使用量は特に限定されるものではないが、通常原料のジエノフィルに対して５〜２０ｍｏｌ％が好ましく、５〜１０ｍｏｌ％がより好ましい。ジエノフィルに対して５ｍｏｌ％未満ではＤｉｅｌｓ−Ａｌｄｅｒ反応の化学収率やエナンチオ選択性が低下するおそれがあるため好ましくなく、一方、２０ｍｏｌ％を超えても効果に差が生じず、経済的な観点から好ましくない。
【００３５】
不斉Ｄｉｅｌｓ−Ａｌｄｅｒ反応における反応溶媒としては、ニトリル系溶媒を使用することが好ましい。ニトリル系溶媒としては、アセトニトリル、プロピオニトリルなどが挙げられる。また、溶媒には、上記溶媒に対して５体積％程度の水を存在させることも好ましい。また、反応温度は特に限定されるものではなく、通常、０〜２５℃程度の範囲で行われる。エナンチオ選択性の観点からは、０〜１０℃が好ましい。
【００３６】
本発明の不斉有機分子触媒を用いる不斉Ｄｉｅｌｓ−Ａｌｄｅｒ反応は、特に下記式（２）で表わされる１，２−ジヒドロピリジン誘導体（ジエン）と下記式（３）で表わされるアクロレイン誘導体（ジエノフィル）とを原料とする、下記式（４）で表わされるイソキヌクリジン誘導体の合成に有用であり、目的とする光学異性体を非常に高い化学収率かつ光学収率で目的物を合成することができる。また、式（４）で表わされるイソキヌクリジン誘導体は、開環することで下記式（５）で表わされる多置換ピペリジン誘導体に容易に変換することができる。
【００３７】
【化８】
0005622019.tif 000008
【００３８】
式（２）、式（３）、式（４）、式（５）において、Ｒ６〜Ｒ１０、Ｒ１２〜Ｒ１４はそれぞれ水素原子又は一価の置換基であり、Ｒ１１はアルキル基又はアリール基ある。Ｒ６〜Ｒ１０、Ｒ１２〜Ｒ１４で表わされる一価の置換基としては、直鎖又は分岐のアルキル基、アリール基、ハロゲン原子、ヒドロキシル基、カルボキシル基、アルコキシカルボニル基、アシル基、アシロキシ基、アルコキシ基、アリールオキシ基などが挙げられる。Ｒ１１のアルキル基又はアリール基としては、上述の式（１）におけるＲ１と同様の置換基を例示できる。
【００３９】
式（２）、式（３）、式（４）、式（５）において、Ｒ６〜Ｒ１０としては水素原子が好ましく、Ｒ１１としてはベンジル基、フェニル基が好ましい。また、Ｒ１２〜Ｒ１４としてはアルキル基、アリール基、ハロゲン原子、アシル基、アシロキシ基、アルコキシ基、アリールオキシ基などが好ましい。
【００４０】
上記不斉Ｄｉｅｌｓ−Ａｌｄｅｒ反応によって合成される光学活性イソキヌクリジン誘導体（４）は、オセルタミビル、カサランチン、レセルビン、ビンブラスチンなどの前駆体となる物質である。また、光学活性イソキヌクリジン誘導体を開環して得られる、上記式（５）で表わされる多置換ピペリジン誘導体は、アザ糖、ピペリジンアルカロイド、キノリジンアルカロイド糖の前駆体となる。これらの化合物を高い化学収率かつ高い光学収率で合成することのできる本発明は、ひいては低コストかつ高効率に、様々な医薬品や生理活性物質を得るために非常に有用である。
【実施例】
【００４１】
（アミノアルコール塩（１−Ａ）〜（１−Ｆ）の合成）
以下に示すスキームで、アミノアルコール塩（１−Ａ）〜（１−Ｆ）を合成した。
【００４２】
【化９】
0005622019.tif 000009
【００４３】
２００ｍＬのナス型フラスコにアミノ酸メチルエステル（ａ）〜（ｄ）２．１ｍｍｏｌをとり、ジエチルエーテル１３ｍＬに溶解させ、−２５℃で氷冷下、それぞれ対応するアリールマグネシウム−ブロマイドエーテル溶液（１〜３Ｍ，１０ｍｍｏｌ）をゆっくりと滴下した。滴下終了後、徐々に室温に戻しながら１２時間撹拌し、氷冷下、飽和ＮＨ４Ｃｌを滴下して反応を停止させた。反応溶液をエーテルで３回抽出し、有機層を飽和ＮａＣｌ水溶液で洗い、硫酸ナトリウムで乾燥後、溶媒を減圧留去した。得られた粗生成物を再結晶（Ｅｔ２Ｏ）することによって、白色結晶のジフェニルアミノアルコール（ｉ−Ａ）〜（ｉ−Ｆ）を７０〜８０％の収率で得た。［（ｉ−Ａ）：７２％、（ｉ−Ｂ）：７５％、（ｉ−Ｃ）：７３％、（ｉ−Ｄ）：７９％、（ｉ−Ｅ）：７１％、（ｉ−Ｆ）：７８％］
１０ｍＬのナス型フラスコに（ｉ−Ａ）〜（ｉ−Ｆ）１２ｍｍｏｌをとり、ジクロロメタン２ｍＬに溶解させ、氷冷下、トリフルオロ酢酸０．１２ｍｍｏｌを加えた。１０分間撹拌した後、反応溶液を減圧留去することによって、アミノアルコール・トリフルオロ酢酸塩（１−Ａ）〜（１−Ｆ）を定量的に得た。
【００４４】
得られたアミノアルコール塩（１−Ａ）〜（１−Ｆ）の１Ｈ−ＮＭＲデータを以下に示す。
（１−Ａ）；１Ｈ−ＮＭＲ（４００ＭＨｚ，ＣＤＣｌ３，δ（ｐｐｍ））：０．９５（ｓ，９Ｈ），４．２５（ｓ，１Ｈ）７．１２−７．１７（ｍ，２Ｈ），７．２３−７．３１（ｍ，４Ｈ），７．５９−７．６１（ｍ，４Ｈ）
（１−Ｂ）；１Ｈ−ＮＭＲ（４００ＭＨｚ，ＣＤＣｌ３＋ＣＦ３ＣＯ２Ｄ，δ（ｐｐｍ））：０．９７（ｄ，３Ｈ），１．０７（ｄ，３Ｈ），２．１７−２．２２（ｍ，１Ｈ），４．２７（ｓ，１Ｈ），７．３２−７．４５（ｍ，１０Ｈ）
（１−Ｃ）；１Ｈ−ＮＭＲ（４００ＭＨｚ，ＣＤＣｌ３＋ＣＦ３ＣＯ２Ｄ，δ（ｐｐｍ））：１．４０（ｄ，３Ｈ），４．５７−４．５９（ｍ，１Ｈ），７．３２−７．４７（ｍ，１０Ｈ）
（１−Ｄ）；１Ｈ−ＮＭＲ（４００ＭＨｚ，ＣＤＣｌ３，δ（ｐｐｍ））：２．８２−２．９３（ｍ，２Ｈ），４．４８−４．５１（ｍ，１Ｈ），７．０８−７．３６（ｍ，１１Ｈ），７．５３−７．５７（ｍ，４Ｈ）
（１−Ｅ）；１Ｈ−ＮＭＲ（４００ＭＨｚ，ＣＤＣｌ３，δ（ｐｐｍ））：０．８６（ｓ，９Ｈ），２．２５（ｂｒｓ，６Ｈ），４．１６（ｓ，１Ｈ），６．９９（ｄ，２Ｈ），７．０４（ｄ，２Ｈ），７．４０−７．４４（ｍ，４Ｈ）
（１−Ｆ）；１Ｈ−ＮＭＲ（４００ＭＨｚ，ＣＤＣｌ３，δ（ｐｐｍ））：０．９４（ｓ，９Ｈ），４．１４（ｓ，１Ｈ），６．９４−７．０３（ｍ，４Ｈ），７．４９−７．５２（ｍ，４Ｈ）
【００４５】
（アミノアルコール塩（１−Ａ）〜（１−Ｆ）を触媒としたイソキヌクリジン誘導体の合成）
以下に示すスキームで、それぞれの触媒を用いてイソキヌクリジン誘導体を合成した。
【００４６】
【化１０】
0005622019.tif 000010
【００４７】
１０ｍＬのナス型フラスコに触媒（１−Ａ）〜（１−Ｆ）０．０１ｍｍｏｌをとり、アセトニトリル／水混合溶媒（アセトニトリル：水＝１９：１）０．５ｍＬに溶解させた。−２５℃氷冷下、蒸留したアクロレイン（３）０．０１ｍｍｏｌ及び１，２−ジヒドロピリジン（２ａ）又は（２ｂ）０．２ｍｍｏｌを加え、０℃で２４時間撹拌した。反応終了後、反応溶液に水を加えてエーテルで抽出した。有機層を飽和ＮａＣｌ水溶液と水で洗い、硫酸ナトリウムで乾燥した後、溶媒を減圧留去することによって、イソキヌクリジン誘導体（４ａ）又は（４ｂ）が得られた。得られた粗生成物は精製することなく次の反応に用いた。
【００４８】
１０ｍＬナス型フラスコに前の反応で得られたイソキヌクリジン誘導体（４ａ）又は（４ｂ）をとり、エタノール２ｍＬに溶解させ、水素化ホウ素ナトリウム０．０５ｍｍｏｌを加え、室温で１時間撹拌した。反応終了後、反応溶液を減圧留去し、水を加えて酢酸エチルで抽出した。有機層を減圧蒸留し、得られた粗生成物をカラムクロマトグラフィー（ＳｉＯ２，ｎ−ヘキサン：酢酸エチル＝１：１）で分離精製することによって、イソキヌクリジン誘導体（５ａ）又は（５ｂ）を定量的に得た。
【００４９】
それぞれの触媒を用いて上記合成した際のイソキヌクリジン誘導体の光学収率は、アルコール体（５ａ）又は（５ｂ）のＨＰＬＣデータ（ダイセル化学社製キラルパックＡＳ−Ｈ，ｎ−ヘキサン：２−プロパノール＝９３：７）により決定した。化学収率、光学収率等について表１に示す。
【００５０】
【表１】
0005622019.tif 000011
【００５１】
いずれの触媒を用いた場合も高いエンド／エキソ選択性を示し、特に触媒（１−Ａ）、（１−Ｂ）において、エンド体のみを選択的に得ることができた。更に、エナンチオ選択性も良好であり、触媒（１−Ａ）、（１−Ｂ）においては、非常に優れた、高い光学収率で（７Ｓ）−ｅｎｄｏ体を得ることができた。また、化学収率は（１−Ｅ）では若干低いものの、他では良好な結果が得られた。
【００５２】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うアミノアルコール誘導体塩、不斉有機分子触媒、及び該不斉有機分子触媒を用いた光学活性化合物の製造方法もまた本発明の技術的範囲に包含されるものとして理解されなければならない。
【産業上の利用可能性】
【００５３】
アミノアルコール誘導体塩である本発明の不斉有機分子触媒は、性能面、コスト面で非常に優れた触媒である。特に不斉Ｄｉｅｌｓ−Ａｌｄｅｒ反応の触媒として用いることで、医薬品や生理活性物質の中間体となるイソキヌクリジン誘導体をはじめとした光学活性物質を高い化学収率と高い光学収率で得ることができる。そのため、本発明の不斉有機分子触媒は、医薬品や生理活性物質の効率的な合成に有用である。